(57)【特許請求の範囲】
【請求項１】
照明器具であって、該照明器具に含まれるセンサにより検出されるべき垂直面に近接して配置される照明器具であって、
前記垂直面の第１の部分へと方向付けられた低強度光ビームを発する第１の複数のＬＥＤベース光源を含む、少なくとも１つの第１の照明ユニットと、
前記垂直面の第２の部分へと方向付けられた高強度光ビームを発する第２の複数のＬＥＤベース光源を含む、少なくとも１つの第２の照明ユニットと、
水平面へと方向付けられた光ビームを発する第３の複数のＬＥＤベース光源を含む、少なくとも１つの第３の照明ユニットと
を含む複数の照明ユニットと、
前記複数の照明ユニットに動作可能に接続されたコントローラであって、前記第１、第２、及び第３の複数の光源から発せられる光の強度を制御する、コントローラと
を含む、照明器具。
【請求項２】
天井に取り付けられるか、又は天井タイルに組み込まれる照明パネルである、請求項１に記載の照明器具。
【請求項３】
前記垂直面の第３の部分へと方向付けられた中間強度光ビームを発する第４の複数の光源を含む、少なくとも１つの第４の照明ユニットを更に含み、前記第１の部分は、前記垂直面の上側部分であり、前記第２の部分は、前記垂直面の下側部分であり、及び前記第３の部分は、前記垂直面の中間部分である、請求項１に記載の照明器具。
【請求項４】
前記光ビームの各々の向きは調節可能である、請求項１に記載の照明器具。
【請求項５】
前記垂直面に関するデータを取得するセンサを含み、前記コントローラは、取得された前記データに少なくとも部分的に基づいて、前記第１、第２、及び第３の複数の光源の１つ又は複数から発せられる光の強度又は向きを制御する、請求項１に記載の照明器具。
【請求項６】
前記複数の照明ユニット内の、前記水平面へと方向付けられた光ビームを発する第３の照明ユニットの数、並びに前記垂直面へと方向付けられた光ビームを発する第１及び第２の照明ユニットの数は、前記垂直面に対する前記照明器具のポジショニングに基づいて調節可能である、請求項１に記載の照明器具。
【請求項７】
請求項１に記載の照明器具であって、当該照明器具は、天井取り付け照明器具であり、前記複数の照明ユニットの第１のサブセットは、前記垂直面へと方向付けられた光ビームを発し、前記複数の照明ユニットの第２のサブセットは、前記水平面へと方向付けられた光ビームを発し、更に前記複数の照明ユニットの少なくとも幾つかは、前記垂直面又は前記水平面の何れかへと方向付けられた光ビームを発するように調節可能であり、
前記コントローラは、調節可能である前記複数の照明ユニットの各々によって発せられる前記光ビームの向きを制御する、
照明器具。
【請求項８】
調節可能である前記複数の照明ユニットの各々によって発せられる前記光ビームの前記向きは、前記垂直面に対する前記照明器具のポジショニングに少なくとも部分的に基づく、請求項７に記載の照明器具。
【請求項９】
調節可能である前記複数の照明ユニットの各々によって発せられる前記光ビームの前記向きは、ユーザから受け取った入力に少なくとも部分的に基づいて調節される、請求項７に記載の照明器具。
【請求項１０】
垂直面に近接して配置される照明器具であって、
前記垂直面の第１の部分へと方向付けられた低強度光ビームを発する第１の複数のＬＥＤベース光源を含む、少なくとも１つの第１の照明ユニットと、
前記垂直面の第２の部分へと方向付けられた高強度光ビームを発する第２の複数のＬＥＤベース光源を含む、少なくとも１つの第２の照明ユニットと、
水平面へと方向付けられた光ビームを発する第３の複数のＬＥＤベース光源を含む、少なくとも１つの第３の照明ユニットと、
前記垂直面の第３の部分へと方向付けられた中間強度光ビームを発する第４の複数の光源を含む、少なくとも１つの第４の照明ユニットと
を含む複数の照明ユニットと、
前記複数の照明ユニットに動作可能に接続されたコントローラであって、前記第１、第２、第３及び第４の複数の光源から発せられる光の強度を制御する、コントローラと
を含み、
前記第１の部分は、前記垂直面の上側部分であり、前記第２の部分は、前記垂直面の下側部分であり、及び前記第３の部分は、前記垂直面の中間部分である、照明器具。
【請求項１１】
垂直面に近接して配置される照明器具であって、当該照明器具は、
複数の照明ユニットであって、各々が調節可能な向きを有する光ビームを発する複数の光源を含み、前記複数の照明ユニットの第１のサブセットは、前記垂直面の上側部分へと方向付けられた光ビームを発し、前記複数の照明ユニットの第２のサブセットは、前記垂直面の中間部分へと方向付けられた光ビームを発し、前記複数の照明ユニットの第３のサブセットは、前記垂直面の下側部分へと方向付けられた光ビームを発し、及び前記複数の照明ユニットの第４のサブセットは、水平面へと方向付けられた光ビームを発する、複数の照明ユニットと、
前記複数の照明ユニットに動作可能に接続されたコントローラであって、前記複数の光源から発せられる光の強度を制御し、前記複数の光源の各々の向きを更に制御する、コントローラと
を含む、照明器具。
【請求項１２】
前記複数の照明ユニットの１つ又は複数によって発せられる前記光ビームの前記向きは、前記垂直面に対する前記照明器具のポジショニングに少なくとも部分的に基づく、請求項１１に記載の照明器具。
【請求項１３】
前記第１のサブセット、第２のサブセット、第３のサブセット、及び第４のサブセット内の照明ユニットの数は、前記垂直面に対する前記照明器具のポジショニングに基づいて調節される、請求項１１に記載の照明器具。
【請求項１４】
ユーザから入力を受け取るユーザインタフェースを更に含み、前記複数の照明ユニットの１つ又は複数によって発せられる前記光ビームの前記向きは、前記受け取った入力に少なくとも部分的に基づく、請求項１１に記載の照明器具。
【請求項１５】
ウォールウォッシング照明効果を提供する方法であって、当該方法は、
（ｉ）複数の照明ユニットであって、各々が複数のＬＥＤベース光源を含み、前記複数の照明ユニットの第１のサブセットは、垂直面へと方向付けられた光ビームを発し、前記複数の照明ユニットの第２のサブセットは、水平面へと方向付けられた光ビームを発し、更に前記複数の照明ユニットの少なくとも幾つかは、前記垂直面又は前記水平面の何れかへと方向付けられた光ビームを発するように調節可能である、複数の照明ユニットと、（ｉｉ）前記複数の照明ユニットに動作可能に接続され、且つ前記垂直面に対する照明器具の位置に少なくとも部分的に基づいて、前記調節可能照明ユニットの各々によって発せられる前記光ビームの向きを制御するコントローラとを含む照明器具を、該照明器具に含まれるセンサにより検出されるべき前記垂直面に近接して配置するステップと、
前記垂直面に対する前記照明器具の位置を示す情報として前記センサからセンサ値を受信するステップと、
受信した前記情報に基づいて、調節可能である前記複数の照明ユニットの１つ又は複数によって発せられる前記光ビームの前記向き又は強度を調節するステップと
を含む、方法。
【発明の詳細な説明】
【技術分野】
【０００１】
[0001]  本発明は、概して、室内照明に向けられる。より具体的には、本明細書に開示される様々な発明的方法及び装置は、ＬＥＤベース照明ユニットを備えた照明パネル、例えば天井取り付けタイルの使用により、ウォールウォッシング照明効果を提供する照明器具に関する。
【背景技術】
【０００２】
[0002]  都市化及び人口増加に伴う人口密度により、多くの人が比較的コンパクトな空間で生活及び労働している。幸いにも、小さく且つコンパクトな空間は、照明技術の適切な使用によって、より心地良く及び広々として見えるようにすることが可能である。十分に照明が行われた壁及び天井は、より心地良く、より広々とした環境を作り出していると認識され、それらは、気分及び主観的パフォーマンスに良い影響を及ぼすことが知られている。ウォールウォッシング照明効果は、特に、視覚的に安らぐと認識され、明るく照明が行われた壁がある空間は、ウォールウォッシングを有さない空間よりも高い照明クオリティ評価を得る可能性が高い。従って、空間の照明クオリティは、その空間に対する人の全体的満足度において重要な役割を果たし得る。
【０００３】
[0003]  オフィス環境における快適さ及び生産性もまた、オフィスのアンビエント光レベルと、その機能光レベルとの間の適切なバランスを導入することによって向上させることができる。例えば、作業面（例えば、デスク）上の機能光レベルは、ウォールウォッシング又はダウンライトに使用されるアンビエント光が十分な強度レベルに設定される場合は、低下させることができる。即ち、アンビエント光レベルが比較的高い場合、その空間はより明るく、人はデスクランプ又は他のそのような機能的照明素子を使用する可能性が低い。
【０００４】
[0004]  デジタル照明技術、即ち、発光ダイオード（ＬＥＤ：light-emitting diode）等の半導体光源に基づいた照明は、従来の蛍光、ＨＩＤ、及び白熱ランプに代わる実行可能な代替案を提供する。ＬＥＤの機能的利点及びメリットは、高いエネルギー変換及び光学効率、耐久性、より低い運転コスト、並びに多くの他のものを含む。ＬＥＤ技術における最近の進歩は、多くの応用例において様々な照明効果を可能にする効率的及びロバストなフルスペクトル照明源をもたらした。これらの照明源を組み入れた器具の幾つかは、例えば、赤、緑、及び青といった異なる色を生成可能な１つ又は複数のＬＥＤと、様々な色及び色が変化する照明効果をもたらす為に、ＬＥＤの出力を独立して制御するプロセッサとを含む照明モジュールを特徴とする。
【０００５】
[0005]  照明パネル、例えば天井タイルは、ダウンライト用のＬＥＤ照明素子を装備することができる。この種の従来の天井タイルは、壁面の一部の照明を行う為に使用することができるが、配光の殆どは、一般的に、（水平）床面に向けて下方に向けられる為、天井／壁の境界面は、不均一に照明が行われる。しかしながら、照明が直接壁面に向けられると、光は、多くの場合、反射ホットスポット及び不快なグレアを生じさせる。空間の所有者に財力があれば、より心地良い雰囲気を作り出す為に、従来の（及び高級な）ウォールウォッシングシステムを設置することができる。配光は、高度な制御インフラを必要とする別個の照明器具を用いて制御される。その結果、従来のウォールウォッシングシステムは、製造コストが高く、追加の空間を必要とし、及び設置コストも高い。従って、一般ユーザに手頃な予算で効果的なダウンライト及びウォールウォッシングソリューションを提供する現在入手可能なダウンライト及びウォールウォッシング照明システムが不十分である。
【発明の概要】
【発明が解決しようとする課題】
【０００６】
[0006]  従って、壁及び天井の照明を一様に行う安価且つエネルギー効率の良い照明ソリューションに対するニーズが当該技術分野に存在する。グレア又は反射ホットスポットなしに垂直壁の表面全体の照明を一様且つ均一に行う安価なウォールウォッシングソリューションに対するニーズも当該技術分野に存在する。
【課題を解決するための手段】
【０００７】
[0007]  本開示は、ダウンライト及びウォールウォッシングを組み合わせた発明的方法及び装置に向けられる。例えば、天井タイルに直接組み入れることができる、本発明の様々な実施形態によるＬＥＤベース照明ユニットは、グレア又は反射ホットスポットなしに壁又は垂直面の表面全体の照明を一様且つ均一に行う安価な天井照明ソリューションを提供する。簡潔に述べると、本発明は、壁の異なる部分の照明を個々に行うことにより、壁面全体に亘って全体的に均一な照明分布を提供する少なくとも２つの個別制御可能なＬＥＤベース照明ユニットのセットを設けることによって、これらの利点をもたらす。
【０００８】
[0008]  例えば、一部の実施形態では、１つのＬＥＤ素子セットが、天井タイルの端部に沿って位置付けられ、及び天井に隣接した壁面の上側部分に向けて比較的広いビーム幅を有する低強度光ビームを発するように構成される。第２のＬＥＤセットは、壁面の下部分に向けてより狭いビーム幅を有する、より高い強度の光ビームを発する。他の実施形態では、第２のＬＥＤセットは、壁面の中間部分に向けてより高い強度の光ビームを発し、且つより狭いビーム幅を有し、及び第３のＬＥＤセットは、壁面の下部分に向けて比較的狭いビーム幅を有する、比較的高い強度の光ビームを発する。壁面の均一な照明を達成する為に、最適な光強度並びにビームの角度及び方向を有する更なるＬＥＤセットが設けられてもよい。
【０００９】
[0009]  従って、共に用いられる別々に制御可能なＬＥＤベース照明ユニットによって照明が行われると、壁面全体は、目に心地良い及び快適な実質的に均一な光を浴びる。最後に、天井タイル照明器具は、壁及び天井の両方の照明が一様に行われるように同じく個別に制御可能である下方に向けられたＬＥＤセットを更に備える。
【００１０】
[0010]  一般的に、ある態様では、本発明は、垂直面に近接して配置された、並びに垂直面の第１の部分へと方向付けられた低強度光ビームを発するように構成された第１の複数のＬＥＤベース光源を有する、少なくとも１つの第１の照明ユニットと、垂直面の第２の部分へと方向付けられた高強度光ビームを発するように構成された第２の複数のＬＥＤベース光源を有する、少なくとも１つの第２の照明ユニットと、水平面へと方向付けられた光ビームを発するように構成された第３の複数のＬＥＤベース光源を有する、少なくとも１つの第３の照明ユニットとを含む複数の照明ユニットと、照明ユニットに接続されて、光源から発せられる光の強度を制御するコントローラとを含む、照明器具に関する。
【００１１】
[0011]  一部の実施形態では、照明器具は、垂直面の第３の部分へと方向付けられた中間強度光ビームを発するように構成された第４の複数の光源を有する、少なくとも１つの第４の照明ユニットを更に含み、第１の部分は、垂直面の上側部分であり、第２の部分は、垂直面の下側部分であり、及び第３の部分は、垂直面の中間部分である。
【００１２】
[0012]  一部の実施形態では、光ビームの各々の向きは調節可能である。
【００１３】
[0013]  一部の実施形態では、照明器具は、垂直面に関するデータを取得するセンサを更に含み、コントローラは、センサから取得されたデータに少なくとも部分的に基づいて、第１、第２、及び／又は第３の複数の光源から発せられる光の強度又は向きを制御する。
【００１４】
[0014]  一部の実施形態では、複数の照明ユニット内の、水平面へと方向付けられた光ビームを発するように構成された第３の照明ユニットの数、並びに垂直面へと方向付けられた光ビームを発するように構成された第１及び第２の照明ユニットの数は、垂直面に対する照明器具のポジショニングに基づいて調節可能である。
【００１５】
[0015]  一部の実施形態では、水平面へと方向付けられた光ビームを発するように構成された第３の照明ユニットの数と、垂直面へと方向付けられた光ビームを発するように構成された第１及び第２の照明ユニットの数との比率は、垂直面に対する照明器具のポジショニングに基づいて調節可能である。
【００１６】
[0016]  一般的に、ある態様では、本発明は、複数の照明ユニットであって、各々が複数のＬＥＤベース光源を含む、複数の照明ユニットを含む天井取り付け照明器具に関し、照明ユニットの第１のサブセットは、垂直面へと方向付けられた光ビームを発するように構成され、照明ユニットの第２のサブセットは、水平面へと方向付けられた光ビームを発するように構成され、及び照明ユニットの少なくとも幾つかは、垂直面又は水平面の何れかへと方向付けられた光ビームを発するように調節可能であるように構成される。照明器具は、照明ユニットに接続されて、ＬＥＤベース光源から発せられる光の強度を制御し、調節可能照明ユニットの各々によって発せられる光ビームの向きを制御するコントローラも含む。
【００１７】
[0017]  一部の実施形態では、調節可能照明ユニットの各々によって発せられる光ビームの向きは、垂直面に対する照明器具のポジショニングに少なくとも部分的に基づく。
【００１８】
[0018]  一部の実施形態では、照明器具は、垂直面に関するデータを取得するセンサも含む、及び取得データに少なくとも部分的に基づいて、調節可能照明ユニットの各々によって発せられる光ビームの向きが調節される。
【００１９】
[0019]  一般的に、ある態様では、本発明は、垂直面に近接して配置され、及び複数の照明ユニットであって、各々が調節可能な向きを有する光ビームを発する複数の光源を有する、複数の照明ユニットを含む照明器具に関し、照明ユニットの第１のサブセットは、垂直面の上側部分へと方向付けられた光ビームを発し、照明ユニットの第２のサブセットは、垂直面の中間部分へと方向付けられた光ビームを発し、照明ユニットの第３のサブセットは、垂直面の下側部分へと方向付けられた光ビームを発し、及び照明ユニットの第４のサブセットは、水平面へと方向付けられた光ビームを発する。照明器具は、照明ユニットに接続されて、光源から発せられる光の強度を制御し、及び光源の各々の向きを制御するコントローラも含む。
【００２０】
[0020]  一部の実施形態では、照明ユニットの１つ若しくは複数によって発せられる光ビームの向き、並びに／又は第１のサブセット、第２のサブセット、第３のサブセット、及び第４のサブセット内の照明ユニットの数は、垂直面に対する照明器具のポジショニングに少なくとも部分的に基づく。
【００２１】
[0021]  一般的に、ある態様では、本発明は、ウォールウォッシング照明効果を提供する方法に関する。この方法は、複数の照明ユニットであって、各々が複数のＬＥＤベース光源を有し、照明ユニットの第１のサブセットは、垂直面へと方向付けられた光ビームを発し、照明ユニットの第２のサブセットは、水平面へと方向付けられた光ビームを発し、照明ユニットの少なくとも幾つかは、垂直面又は水平面の何れかへと方向付けられた光ビームを発するように調節可能である、複数の照明ユニットと、照明ユニットに接続されて、垂直面に対する照明器具の位置に少なくとも部分的に基づいて、調節可能照明ユニットの各々によって発せられる光ビームの向きを制御するコントローラとを有する、照明器具を設けるステップを含む。この方法はまた、垂直面に対する照明器具の位置を示す情報を受信するステップと、受信情報に基づいて、調節可能照明ユニットの１つ又は複数によって発せられる光ビームの向きを調節するステップとを含む。
【００２２】
[0022]  一部の実施形態では、この方法は、受信情報に基づいて、調節可能照明ユニットの１つ又は複数によって発せられる光ビームの強度を調節するステップも含む。
【００２３】
[0023]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。
【００２４】
[0024]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００２５】
[0025]  なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学的要素（例えば拡散レンズ）を含むＬＥＤ等を指す。
【００２６】
[0022]  「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源及び発光ポリマーを含む、様々な放射源のうちの任意の１つ以上を指すと理解すべきである。
【００２７】
[0027]  所与の光源は、可視スペクトル内、可視スペクトル外、又は両者の組合せでの電磁放射を発生する。したがって、「光」及び「放射」との用語は、本明細書では同義で使用される。さらに、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００２８】
[0028]  本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。さらに、当然のことながら、「色」との用語は、白色光及び非白色光の両方との関連で使用されてもよい。
【００２９】
[0029]  「照明固定具」、「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００３０】
[0030]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００３１】
[0031]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００３２】
[0032]  「アドレス可能」との用語は、本明細書では、自分自身を含む複数のデバイスに向けた情報（例えばデータ）を受信して、自分自身に向けられた特定の情報に選択的に応答するデバイス（例えば、光源全般、照明ユニット又は固定具、１つ以上の光源若しくは照明ユニットに関連付けられたコントローラ又はプロセッサ、他の非照明関連デバイス等）を指すために使用される。「アドレス可能」との用語は、多くの場合、ネットワークで結ばれた環境（すなわち、以下に詳細に説明される「ネットワーク」）に関連して使用され、ネットワークで結ばれた環境では、複数のデバイスが何らかの１つ以上の通信媒体を介して互いに結合されている。
【００３３】
[0033]  １つのネットワーク実施態様では、ネットワークに結合された１つ以上のデバイスが、当該ネットワークに結合された１つ以上の他のデバイスのコントローラとしての機能を果たす（例えばマスタ／スレーブ関係において）。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（すなわち、ネットワークからデータを受信する及び／又はネットワークにデータを送信する）点で、「アドレス可能」である。
【００３４】
[0034]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。さらに、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００３５】
[0035]  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例は、次に限定されないが、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン、及び、人間が生成した何らかの形の刺激を受信し、それに応答して信号を生成する他のタイプのセンサを含む。
【００３６】
[0036]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【００３７】
[0037]  図面中、同様の参照符号は、全般的に様々な図を通して同じ部分を指している。さらに、図面は必ずしも縮尺通りではなく、重点は全体的に本発明の原理の説明に置かれている。
【図面の簡単な説明】
【００３８】
【図１】[0038]  本発明の一実施形態による照明ユニットの概略図である。
【図２】[0039]  本発明の一実施形態による照明器具の概略図である。
【図３】[0040]  本発明の一実施形態による照明器具の概略図である。
【図４】[0041]  本発明の一実施形態による照明器具のネットワークの概略図である。
【図５】[0042]  本発明の一実施形態による照明ユニットのネットワークの概略図である。
【図６】[0043]  本発明の一実施形態による照明器具からの放射強度及び分布のグラフの概略図である。
【図７】[0044]  本発明の一実施形態による照明器具を用いた、垂直面の照明を選択的に行う方法のフローチャートである。
【発明を実施するための形態】
【００３９】
[0045]  照明システムにおいて、機能光レベルとアンビエント光レベルとの間で適切なバランスを取ることが望ましい。例えば、より心地良く、より広々としていると認識され、且つ気分、健康、及びパフォーマンスに良い影響を及ぼすことが知られている十分に照明が行われた壁及び天井を有することが望ましい場合がある。例えば、ウォールウォッシング照明効果は、特に視覚的に安らぐと認識され、明るく照明が行われた壁がある空間は、ウォールウォッシングを有さない空間よりも高い照明クオリティ評価を得る可能性が高い。従って、従来の又は機能的照明効果に加えて、ウォールウォッシング照明効果を有する照明システムを設置及び利用することが望ましい場合がある。
【００４０】
[0046]  一部の照明システムは、ウォールウォッシング照明効果をもたらすが、一般的に、ダウンライト効果及びウォールウォッシング照明効果の両方に対して、別々の照明器具を必要とする。このような照明システムは、より高い製造コスト及びより高い設置コスト等の１つ又は複数の欠点を示す。このような照明システムの更なる欠点が示される場合がある。例えば、ダウンライト効果及びウォールウォッシング照明効果の両方に対して別々の照明器具を必要とすることにより、これらの照明システムは、更なる場所を取る。
【００４１】
[0047]  従って、本出願人らは、ダウンライト及び／又はアンビエント照明並びにウォールウォッシング照明効果の両方に対して単一の照明器具を設け、それによって、製造及び設置コストを減らすだけでなく、照明システムを設置する為に必要とされる空間量を減らし、並びに既存の装置及び／又は方法の１つ又は複数の欠点を任意選択的に克服する方法及び装置を提供するニーズを当該技術分野において認識及び理解した。
【００４２】
[0048]  上記を鑑みて、本発明の様々な実施形態及び実装形態が、ウォールウォッシング及びダウンライト効果の両方を提供するように適応されたＬＥＤベース照明ユニットを備えた天井取り付け照明タイル又はパネル器具に向けられる。
【００４３】
[0049]  以下の詳細な説明では、特許請求される本発明の深い理解をもたらすように、具体的な詳細を開示する代表的実施形態が記載される。しかしながら、本開示の利益を得た当業者には、本明細書に開示された具体的詳細から逸脱する本教示に従った他の実施形態が添付の請求項の範囲内であることが明白となるであろう。また、良く知られた装置及び方法の記載が省略される場合があるが、明らかに、特許請求される本発明の範囲内である。一例として、本明細書に開示される方法及び装置の態様は、ＬＥＤベース光源のみを有する照明システムを用いて説明される。しかしながら、本明細書に記載される方法及び装置の１つ又は複数の態様は、追加的及び／又は代替的に他の非ＬＥＤ光源を含む他の照明システムにおいて実施することができる。代替的に構成された環境における、本明細書に記載される１つ又は複数の態様の実施は、特許請求される本発明の範囲又は主旨から逸脱することなく検討される。
【００４４】
[0050]  図１を参照すると、一実施形態によれば、照明ユニット１００は、本明細書に記載される照明システムでの使用に適している。様々な実施形態において、図１に示される照明ユニット１００は、単独で、又は図２に関連して以下に更に説明されるものを含む照明ユニットのシステムにおける他の類似の照明ユニットと共に利用することができる。
【００４５】
[0051]  照明ユニット１００は、１つ又は複数の光源１０２Ａ、１０２Ｂ、１０２Ｃ、及び１０２Ｄ（集合的に光源１０２）を含み、光源の１つ又は複数は、１つ又は複数のＬＥＤを含むＬＥＤベース光源でもよい。何れの光源も、異なる色（例えば、赤、緑、青）の放射を生成するように適応されてもよい。図１は、４つのＬＥＤベース光源１０２Ａ、１０２Ｂ、１０２Ｃ、及び１０２Ｄ（集合的に光源１０２）を備えた照明ユニットを示すが、各種の異なる色の放射を生成するように適応された多くの異なる数及び様々な種類の光源（単独で又は組み合わせて全てＬＥＤベース及び非ＬＥＤベース光源等）が、照明ユニット１００において用いられてもよい。
【００４６】
[0052]  照明ユニット１００の一部の実施形態では、図１に示される光源１０２Ａ、１０２Ｂ、１０２Ｃ、及び１０２Ｄの１つ又は複数は、共に制御される複数のＬＥＤ又は他の種類の光源のグループを含んでもよい。加えて、光源の１つ又は複数は、白色光、紫外線、又は赤外線の様々な色温度を含む（但し、様々な可視色に限定されない）、各種波長の何れかを有する放射を生成するように適応された１つ又は複数のＬＥＤを含んでもよいことを理解されたい。各種スペクトルバンド幅を有するＬＥＤが、照明ユニットの様々な実施形態において用いられてもよい。
【００４７】
[0053]  照明ユニット１００は、最も一般的にＡＣ電源である（しかしながら、中でもＤＣ電源、太陽熱利用電源、又は機械式電源を含む他の電源が可能である）電力源１１４も含む。電源は、外部電源から受け取られた電力を照明ユニットによって使用可能な形態に変換する電源変換器と操作可能に通信することができる。
【００４８】
[0054]  照明ユニット１００は、光源を駆動し、及び光源から変動する強度の光を生成させる１つ又は複数の信号を出力するように構成又はプログラムされたコントローラ１０８を含んでもよい。例えば、コントローラ１０８は、各光源によって生成される光の強度を独立して制御するか、光源のグループを制御するか、又は全ての光源を一斉に制御する為の各光源の制御信号を生成するようにプログラム又は構成されてもよい。別の態様によれば、コントローラ１０８は、光源ドライバ１０６等の他の専用回路を制御してもよく、これは次に、光源の強度を異ならせるように光源を制御する。コントローラ１０８は、例えば、本明細書に説明される様々な機能を実行するようにソフトウェアを用いてプログラムされたマイクロプロセッサ１１０でもよく、及びメモリ１１２と組み合わせて利用されてもよい。メモリは、マイクロプロセッサ１１０によって実行される１つ又は複数の照明コマンド又はソフトウェアプログラムを含むデータ、及び限定されることはないが、その照明ユニットの固有の識別子を含む様々な種類のデータを保存することができる。
【００４９】
[0055]  一部の実施形態では、コントローラ１０８は、光源ドライバ１０６に対して連結され、且つそれにコマンドを提供し、及び光源ドライバ１０６は、これらの受信されたコマンドに基づいて、光源１０２に電力を供給する。一例として、コントローラ１０８は、２５％の光出力で光源１０２の１つ又は複数に電力を供給するように光源ドライバ１０６に制御コマンドを提供することができ、及びその後、光源ドライバ１０６は、２５％の光出力を達成する為に、光源１０２に提供される電力を調節することができる。コントローラ１０８及び光源ドライバ１０６は、別個ではあるが連結された構成要素でもよく、又は一体化された構成要素でもよい。例えば、コントローラ１０８は、光源ドライバ１０６内に含まれてもよい。
【００５０】
[0056]  一部の実施形態では、コントローラ１０８は、時刻、ユーザ入力、又は他の予めプログラムされた選択肢若しくはタイミングに基づいて、光源ドライバ１０６に照明制御コマンドを提供してもよい。例えば、一部の実施形態では、所望のシーンに従って特定の光出力を提供するように照明ユニット１００に要求するシーン選択が自動又は手動で受け取られてもよい（例えば、ユーザインタフェースによってユーザから又は時間から）。例えば、ユーザが「日中」シーンを望む場合、コントローラ１０８は、「日中」レベル（例えば、全出力レベル）で光源１０２に電力を供給するように光源ドライバ１０６に指示する照明制御コマンドを提供する。別の例として、タイマー又はクロックモジュールが、「夜間」シーンを提供するように照明ユニット１００をトリガする入力を送信してもよい。入力を受信すると、コントローラ１０８は、「夜間」レベル（例えば、５０％出力レベル）で光源１０２に電力を供給するように光源ドライバ１０６に指示する照明制御コマンドを提供する。
【００５１】
[0057]  照明ユニット１００は、ある近さ及び方向の範囲内の壁を検出するように適応されたセンサ１１６を含んでもよい。従って、センサ１１６は、光学センサ及びアンビエント光センサを含む様々な異なる種類のセンサでもよい。照明ユニット１００は、ローカル接続によりセンサ１１６に連結され、及びセンサ１１６からセンサ値を受信する。一部の実施形態では、センサ１１６は、照明ユニット１００上に取り付けられてもよく、又は照明ユニット１００に組み込まれてもよい。一部の実施形態では、センサ１１６と照明ユニット１００との間の接続は、有線接続である。一部の実施形態では、センサ１１６と照明ユニット１００との間の接続は、無線接続である。一部の実施形態では、センサ１１６は、照明ユニット１００によって照明が行われるエリアに関連したセンサ値を提供するように位置付けられる。
【００５２】
[0058]  一部の実施形態では、コントローラ１０８は、１つ又は複数のセンサ１１６から受信した入力又はデータに基づいて、照明制御コマンドを提供することができる。例えば、一部の実施形態では、照明ユニット１００は、占有センサに連結されてもよく、及び部屋の中の占有者の検出又は非検出に応じて、光源ドライバ１０６に照明制御コマンドを提供してもよい。一部の実施形態では、照明ユニット１００は、部屋の中のアンビエント光のレベルを検出する為にアンビエント光レベルセンサに連結されてもよく、その場合、照明ユニット１００は、検知された光レベルに基づいて、光源１０２にあるレベルで動作することを要求する照明制御コマンドを光源ドライバ１０６に提供してもよい。一部の実施形態では、コントローラ１０８は、タイマー又はクロックモジュールからのデータに基づいて、照明制御コマンドを提供してもよい。
【００５３】
[0059]  一部の実施形態では、照明ユニット１００は、オン／オフ、色、強度、角度、照明ユニットに固有の識別子を設定すること、及び多くの他の特性を含む様々な照明特性をユーザが制御することを可能にする１つ又は複数のユーザインタフェース１２０を含む。ユーザインタフェースと照明ユニットとの間の通信は、有線又は無線伝送によって達成することができる。手動制御は、照明ユニット自体に配置されたスイッチ／制御入力装置を用いてユーザによってもたらされてもよい。例えば、ユーザインタフェース１２０は、コントローラ１０８への電力を遮断する電力スイッチ（例えば、標準的な壁面スイッチ）でもよい。照明ユニット１００は、単純なディップスイッチ、電子スイッチボタン、又はタッチ入力装置を含むように構成されてもよい。ディップスイッチ及び電子スイッチボタンは、オン／オフ機能を提供することができ、又は単一の光源、光源のグループ、若しくは全光源によって提供される光の強度をユーザが調節することを可能にするように構成されてもよい。或いは、ユーザインタラクション手段（例えば、スマートフォン、タブレット、又は他のポータブル若しくはリモートコンピューティングデバイス）を備えた、ユーザにより操作されるコミッショニングデバイスが、照明ユニットのコミッショニングを行う為に使用されてもよい。例えば、本発明の一実施形態において、照明ユニットとリモートコンピューティングデバイスとの間の通信チャネルを確立する為にＮＦＣ（近距離無線通信）が用いられる。
【００５４】
[0060]  ユーザ入力は、光源の１つ又は複数を直接制御することができる（照明ユニット１００の１つ又は複数の構成要素に対する電力の即時制御によることを含む）が、コントローラ１０８は、保存されたソフトウェアプログラムを実行すること、又は１つ若しくは複数の他のデータ入力と共にユーザ入力を利用して、いずれの反応に従事するかを選ぶことを含む、予めプログラムされた反応を起動させることによって、ユーザ入力に応答するように構成又はプログラムされてもよい。一部の実施形態では、コントローラ１０８は、ユーザインタフェース１２０をモニタリングし、例えば、メモリ内に保存された１つ若しくは複数の予めプログラムされた制御信号を選択するか、メモリから新しい照明プログラムを選択及び実行するか、又は光源１０２の１つ若しくは複数によって生成される放射に影響を与えることによってユーザ入力に応答するようにプログラム若しくは構成されてもよい。
【００５５】
[0061]  一部の実施形態では、照明ユニット１００は、照明制御コマンドを光源ドライバ１０６に提供するか、メモリから新しい照明プログラムを選択及び実行するか、又は光源１０２の１つ若しくは複数によって生成される放射に影響を与える為に、１つ又は複数のセンサ１１６から受信したデータと併せて、ユーザインタフェース１２０からのユーザ入力を利用してもよい。例えば、照明ユニット１００は、ユーザ入力に関してユーザインタフェース１２０をモニタリングし、及びセンサデータに関してセンサ１１６をモニタリングするように構成されてもよい。照明ユニット１００のコントローラ１０８は、上述の方法と類似した方法で、光源１０２Ａ、１０２Ｂ、１０２Ｃ及び１０２Ｄの１つ又は複数を制御する為に、センサデータと組み合わせてユーザ入力を利用することができる。
【００５６】
[0062]  一部の実施形態では、近隣の照明ユニットと通信する為に、照明ユニット１００の１つ又は複数は、通信ポート１１８を含むことができる。通信ポート１１８及び通信媒体は、数ある方法の中でも、有線データバス、無線ＲＦ通信、又は符号化可視若しくはＩＲ光等の光対応通信を含む、各種有線又は無線形式の何れでもよい。隣接する照明ユニット間の通信は、以下に更に詳細に説明される協調型応用例を可能にする。例えば、通信ポート１１８は、ネットワーク化された照明システムを形成する為に複数の照明ユニットの連結を可能にすることができる。連結された照明ユニットの１つ又は複数がアドレス可能である更なる応用例が可能である。この実施形態では、コントローラ１０８は、その特定の照明ユニット１００に特定的にアドレス指定されるデータに応答するように構成又はプログラムされてもよい。
【００５７】
[0063]  機能的及び美的理由の両方から、照明ユニット１００は、筐体若しくはハウジング内に完全若しくは部分的に収容されてもよく、又は筐体若しくはハウジングに完全若しくは部分的に組み込まれてもよい。ハウジング又は筐体は、１つ又は多数の照明ユニットを含んでもよい。更に、単一の照明ユニットは、様々な構成要素（例えば、光源、光源ドライバ、コントローラ、メモリ、電源、ユーザインタフェース、及びセンサを含む）間の電気的及び／又は機械的接続を用いて、照明ユニット１００の一部の構成要素が第１のハウジング内にパッケージ化され、及び他の構成要素が第２のハウジング内に収容された状態で、２つ以上のハウジング又は筐体内に収容されてもよい。ハウジング又は筐体は、ファン、ヒートシンク、又は照明ユニットの冷却状態を維持し、それらの平均寿命を延ばす他の方法等の熱管理システムを含んでもよい。
【００５８】
[0064]  照明ユニット１００は、光源１０２Ａ、１０２Ｂ、１０２Ｃ、及び１０２Ｄによって生成される放射を光学的に処理する１つ又は複数の光学素子を含んでもよい。一部の実施形態では、１つ又は複数の光学素子は、生成された放射の空間分布又は伝搬方向を変更することができる。光学素子の例は、限定されることはないが、反射性材料、屈折性材料、半透明材料、フィルター、レンズ、ミラー、及び光ファイバーを含む。１つ又は複数の光学素子は、筐体若しくはハウジング内に完全若しくは部分的に収容されてもよく、又は筐体若しくはハウジングに完全若しくは部分的に組み込まれてもよい。
【００５９】
[0065]  一部の実施形態では、照明ユニット１００は、照明ユニット１００又は光源１０２Ａ、１０２Ｂ、１０２Ｃ、及び１０２Ｄの１つ若しくは複数を特定の方向に方向付ける位置モータを含む。照明ユニット１００は、光源を正しく方向付ける為に、センサ１１６からのセンサデータを利用することもできる。例えば、コントローラ１０８は、センサ１１６をモニタリングすることができ、及び入ってくる光信号に基づいて、照明ユニット１００の近くに壁又は他の垂直面が存在することを判断することができる。コントローラ１０８は、以下に更に詳細に説明されるように、例えば、メモリ内に保存された１つ若しくは複数の予めプログラムされた制御信号を選択するか、メモリから新しい照明プログラムを選択及び実行するか、別の方法で光源１０２の１つ若しくは複数によって生成される放射に影響を与えるか、又は壁若しくは面の存在に対処する向きに照明ユニット１００又は光源１０２Ａ、１０２Ｂ、１０２Ｃ、及び１０２Ｄの１つ若しくは複数を移動させることによって、壁又は面の存在に対応することができる。
【００６０】
[0066]  別の実装形態として、照明ユニット１００は、照明ユニット１００又は光源１０２Ａ、１０２Ｂ、１０２Ｃ、及び１０２Ｄの１つ若しくは複数の向きをユーザが手動で操作することを可能にする可動域を有して、適所に移動可能に設置することができる。一部の実施形態では、コントローラ１０８は、その向きをモニタリングし、例えば、メモリ内に保存された１つ若しくは複数の予めプログラムされた制御信号を選択するか、メモリから新しい照明プログラムを選択及び実行するか、又は別の方法で光源１０２の１つ若しくは複数によって生成される放射に影響を与えることによって、移動に対応することができる。
【００６１】
[0067]  図２は、複数の照明ユニット１００がネットワーク化された照明システムを形成するように連結された照明器具２００の一例を示す。幾つかの実施形態によれば、照明器具２００は、天井取り付け照明パネルとして構成される及び／又は天井に設置されるように構成された１つ若しくは複数の天井タイルに組み込まれる。図２の照明器具は、６つの照明ユニットと共に描かれているが、これらの照明ユニットの数及び構成は、単に例示を目的としたものであり、従って、多くの他の変形形態が可能である。
【００６２】
[0068]  照明器具２００は、１つ又は複数の照明ユニット１００Ａ、１００Ｂ、１００Ｃ、１００Ｄ、１００Ｅ、及び１００Ｆ（集合的に１００）を含んでもよい。照明ユニットは、例えば、図１に関連して記載された照明ユニットと同一又は類似していてもよく、及び光源の１つ又は複数は、従って、１つ又は複数のＬＥＤを含むＬＥＤベース光源でもよい。照明器具２００は、個々の照明ユニット１００Ａ、１００Ｂ、１００Ｃ、１００Ｄ、１００Ｅ、及び／又は１００Ｆの１つ又は複数によって提供される機能性とは別の及びそれに加えた機能性を提供することができ、又は照明器具は、照明ユニットによって提供される全機能性のマスターでもよい。後者の実施形態によれば、照明器具２００は、限定されることはないが、中でも起動及び動作停止、ポジショニング、並びに強度を含む、照明ユニットの機能性の様々な局面を調整及び制御する。或いは、照明器具は、完全にパッシブでもよく、単に１つ又は複数の照明ユニット１００のハウジング又は筐体として機能する。
【００６３】
[0069]  照明器具２００の一部の実施形態では、照明ユニット１００Ａ、１００Ｂ、１００Ｃ、１００Ｄ、１００Ｅ、及び１００Ｆに含まれる光源１０２の１つ又は複数は、一緒に制御される複数のＬＥＤ又は他の種類の光源のグループを含んでもよい。加えて、光源の１つ又は複数は、限定されることはないが、様々な可視色、白色光、紫外線、又は赤外線の様々な色温度を含む各種波長の何れかを有する放射を生成するように適応された１つ又は複数のＬＥＤを含んでもよいことを理解されたい。各種スペクトルバンド幅を有するＬＥＤが、照明ユニットの様々な実施形態において用いられてもよい。
【００６４】
[0070]  照明器具２００の一部の実施形態では、照明ユニット１００Ａ、１００Ｂ、１００Ｃ、１００Ｄ、１００Ｅ、及び１００Ｆの１つ若しくは複数、並びに／又はこれらの照明ユニットに含まれる光源１０２の１つ若しくは複数は、調節可能である。例えば、照明ユニット、光源、及び／又は発せられる光ビームの向きは、垂直面により向けた向きから水平面により向けた向きへと、及びその逆に調節することができる。これは、照明ユニット及び／若しくは光源の手動操作によって達成することができ、又は中央コントローラ２０８によって達成することができる。一部の実施形態では、発せられる光ビームの１つ又は複数の向きは、垂直面に対する照明器具のポジショニングに依存してもよい。例えば、垂直面の近くに設置された照明器具は、垂直面から更に遠く離れて設置された照明器具から発せられる光ビームとは異なる角度を有する光ビームを必要とする。この情報は、例えば、ユーザインタフェースを介してユーザから、又は照明器具２００に対する垂直面の角度及び位置を含む、垂直面に関する情報を受信するように構成されたセンサから取得することができる。一部の実施形態では、水平面に向けて方向付けられた光ビームを発する照明ユニットの数に対する、垂直面に向けて方向付けられた光ビームを発する照明ユニットの数の比率は、調節可能である。例えば、この比率は、垂直及び／又は水平面に対する照明器具のポジショニングに基づいて調節することができる。
【００６５】
[0071]  一部の実施形態では、照明器具２００は、照明ユニットの１つ又は複数に動作可能に接続され、且つこれらの接続された光源を駆動し、及び光源から異なる強度の光を生成させる１つ又は複数の信号を出力するように構成又はプログラムされた中央コントローラ２０８を含む。例えば、中央コントローラ２０８は、各光源によって生成される光の強度を独立して制御するか、光源のグループを制御するか、又は全光源を一緒に制御する為に、各光源に対する制御信号を生成するようにプログラム又は構成されてもよい。別の態様によれば、中央コントローラ２０８は、光源１００毎に光源ドライバ１０６等の他の専用回路を制御することができ、これは次に、光源をそれらの強度を異ならせるように制御する。この実施形態では、照明ユニットは、別個のコントローラ１０８を含んでもよく、又は含まなくてもよい。
【００６６】
[0072]  中央コントローラ２０８は、例えば、本明細書に述べられる様々な機能を実行するソフトウェアを用いてプログラムされた中央マイクロプロセッサ２１０であるか、又はそれを用いてもよく、及びメモリ２１２と組み合わせて利用されてもよい。メモリは、マイクロプロセッサ２１０によって実行される１つ又は複数の照明コマンド又はソフトウェアプログラムを含むデータ、並びに、限定されることはないが、その照明器具及び様々な接続された照明ユニット１００の固有の識別子を含む様々な種類のデータを保存することができる。
【００６７】
[0073]  一部の実施形態では、中央コントローラ２０８は、照明ユニット１００Ａ、１００Ｂ、１００Ｃ、１００Ｄ、１００Ｅ、及び１００Ｆの個々のコントローラ１０８の１つ又は複数に連結され、及びそれらにコマンドを提供する。中央コントローラ２０８は、個々のコントローラ１０８（これらは次に各照明ユニットの光源ドライバ１０６に連結される）に連結され、及びそれらにコマンドを提供する。光源ドライバ１０６は、中央コントローラ２０８から送信されたコマンドに基づいて、光源１０２に電力を供給する。このようにして、中央コントローラ２０８は、照明ユニット及び光源のネットワークを制御することができる。例えば、中央コントローラ２０８は、２５％の光出力で照明ユニット１００Ａの光源１０２に電力を供給するように照明ユニット１００Ａの光源ドライバ１０６に制御コマンドを提供することができる。照明ユニット１００Ａの光源ドライバ１０６は、次に、２５％の光出力を達成する為に、照明ユニット１００Ａの光源１０２に供給される電力を調節することができる。同時に又は異なる時点で、中央コントローラ２０８は、１００％の光出力で照明ユニット１００Ｆの光源１０２に電力を供給するように、照明ユニット１００Ｆの光源ドライバ１０６に制御コマンドを提供することができる。照明ユニット１００Ｆの光源ドライバ１０６は、次に、１００％の光出力を達成する為に、照明ユニット１００Ｆの光源１０２に供給される電力を調節することができる。
【００６８】
[0074]  一部の実施形態では、中央コントローラ２０８は、全照明ユニット１００用のコントローラとして動作する。中央コントローラ２０８は、照明ユニット毎に光源ドライバ１０６に連結され、これは、中央コントローラ２０８から送信されたコマンドに基づいて、その照明ユニットの光源１０２に電力を供給する。このようにして、中央コントローラ２０８は、照明ユニット及び光源のネットワークを制御することができる。
【００６９】
[0075]  照明器具２００は、最も一般的にＡＣ電源である（但し、中でもＤＣ電源、太陽熱利用電源、又は機械式電源を含む他の電源が可能である）中央電力源２１４を含んでもよい。電源は、外部電源から受け取られた電力を照明ユニットによって使用可能な形態に変換する電源変換器と操作可能に通信することができる。
【００７０】
[0076]  照明器具２００は、以下に述べられるように、ある近さ及び方向の範囲内の壁又は垂直面を検出するように適応された１つ又は複数のセンサ２１６を含んでもよい。従って、センサ２１６は、光学センサ及びアンビエント光センサを含む各種異なる種類のセンサでもよい。照明器具２００は、ローカル接続によりセンサ２１６に連結され、及びセンサ２１６からセンサ値を受信する。一部の実施形態では、センサ２１６は、照明器具２００上に取り付けられてもよく、又は照明器具２００に組み込まれてもよい。一部の実施形態では、センサ２１６と照明器具２００との間の接続は、有線接続である。一部の実施形態では、センサ２１６と照明器具２００との間の接続は、無線接続である。一部の実施形態では、センサ２１６は、照明器具２００によって照明が行われるエリアに関連したセンサ値を提供するように位置付けられる。
【００７１】
[0077]  一部の実施形態では、照明器具２００の中央コントローラ２０８は、１つ又は複数のセンサから受信された入力又はデータに基づいて照明制御コマンドを提供することができる。例えば、一部の実施形態では、照明器具２００は、占有センサ、アンビエント光レベルセンサ、及び／又はタイマー若しくはクロックモジュールに連結されてもよい。
【００７２】
[0078]  照明器具２００は、オン／オフ、色、強度、角度、接続された照明ユニットの１つ又は複数に固有の識別子を設定すること、及び多くの他の特性を含む、各種照明特性をユーザが制御することを可能にする１つ又は複数のユーザインタフェース２２０を含んでもよい。ユーザインタフェースと照明ユニットとの間の通信は、有線又は無線伝送によって達成することができる。手動制御は、照明ユニット自体に配置されたスイッチ／制御入力装置を用いてユーザによってもたらされてもよい。例えば、照明器具２００は、単純なディップスイッチ、電子スイッチボタン、又はタッチ入力装置を含むように構成されてもよい。ディップスイッチ及び電子スイッチボタンは、オン／オフ機能を提供することができ、又は単一の光源、光源のグループ、若しくは全光源によって提供される光の強度をユーザが調節することを可能にするようにも構成されてもよい。或いは、ユーザインタラクション手段（例えば、スマートフォン、タブレット、又は他のポータブル若しくはリモートコンピューティングデバイス）を備えた、ユーザにより操作されるコミッショニングデバイスが、照明ユニットのコミッショニングを行う為に使用されてもよい。例えば、本発明の一実施形態において、照明ユニットとリモートコンピューティングデバイスとの間の通信チャネルを確立する為にＮＦＣ（近距離無線通信）が用いられる。
【００７３】
[0079]  照明器具２００は、内部又は外部通信モジュール２１９を更に含んでもよい。一部の実施形態では、通信モジュール２１９は、近隣の照明器具と通信して、照明器具が協力して動作できるネットワークを形成する。通信モジュール２１９は、数ある方法の中でも、有線データバス、無線ＲＦ通信、又は符号化可視若しくはＩＲ光等の光対応通信を含む、各種有線又は無線形式の何れでもよい。隣接する照明器具間の通信は、協調型応用例を可能にする。例えば、通信モジュール２１９は、ネットワーク化された照明システムを形成する為に複数の照明器具の連結を可能にすることができる。連結された照明器具の１つ又は複数がアドレス可能である更なる応用例が可能である。この実施形態では、コントローラ２０８は、照明器具のネットワーク内の特定の照明器具２００に特定的にアドレス指定されるデータに応答するように構成又はプログラムされてもよい。
【００７４】
[0080]  図３は、複数の照明ユニット１００Ａ、１００Ｂ、１００Ｃ、及び１００Ｄを備えた照明器具２００の一例を示す。幾つかの実施形態によれば、照明器具２００は、天井取り付け照明パネルであり、及び／又は天井に設置されるように構成された天井タイルに組み込まれる。図３の照明システムは、４つの照明ユニットと共に描かれているが、これらの照明器具の数及び構成は、単に例示を目的としたものであり、従って、多くの他の変形形態が可能である。上記の実施形態によれば、照明器具２００は、近隣の照明器具と通信して、照明器具が協力して動作できるネットワークを形成するように構成することができる内部又は外部通信モジュール２１９を更に含んでもよい。通信モジュール２１９は、数ある方法の中でも、有線データバス、無線ＲＦ通信、又は符号化可視若しくはＩＲ光等の光対応通信を含む、各種有線又は無線形式の何れでもよい。
【００７５】
[0081]  図４は、複数の照明器具２００Ａ、２００Ｂ、及び２００Ｃがネットワーク化された照明システムを形成するように連結される照明システム４００の一例を示す。幾つかの実施形態によれば、照明器具２００Ａ、２００Ｂ、及び２００Ｃの各々は、天井に設置された１つ又は複数の天井タイルに組み込まれる。例えば、照明器具２００Ａ、２００Ｂ、及び２００Ｃは、コンフィギュアビリティを可能にするように、壁又は垂直面に隣接して天井に設置された１つ又は複数の天井タイルに組み込まれてもよい。図４の照明システムは、３つの照明器具と共に描かれているが、これらの照明器具の数及び構成は、単に例示を目的としたものであり、従って、多くの他の変形形態が可能である。照明システム４００は、本明細書に開示された通信モジュールの何れかに類似した又はそれと同一の通信モジュール４１０を含んでもよい。照明システム４００は、本明細書に開示されたユーザインタフェースの何れかに類似した又はそれと同一のユーザインタフェース４２０を含んでもよい。
【００７６】
[0082]  図３及び図４の照明器具２００の実施形態は、例えば、図１に関連して記載された照明ユニットと同一又は類似していてもよい１つ又は複数の照明ユニット１００を含んでもよく、及びこれらの光源の１つ又は複数は、従って１つ又は複数のＬＥＤを含むＬＥＤベース光源でもよい。
【００７７】
[0083]  図５は、システム内の光源の位置と、これらの光源によって発せられる光の強度と、配光の方向との間の関係が存在する照明器具２００を示す。一部の実施形態では、ウォールウォッシング及びダウンライト効果の両方を達成する為に、照明器具２００内の光源の向き及び強度は可変である。例えば、壁５１０上で略一貫したウォールウォッシング効果を得る為に、照明器具２００内の光源の向き及び強度は共に制御及び変更され得る。壁５１０は、ウォールウォッシング効果が望まれるどのような内壁若しくは外壁、又は垂直面５１０でもよいことに留意されたい。水平面６１０は、どのような床、底面、棚、又は他の実質的に水平な面でもよい。
【００７８】
[0084]  一部の実施形態では、照明器具２００は、天井又は上面５２０に設置又は接続される。照明器具２００は、１つ又は複数の照明ユニット１００を含んでもよく、これらは、共に連結されてネットワーク化された照明システムを形成することができる。幾つかの実施形態によれば、照明ユニット１００は、例えば、図２又は３に関連して記載された照明ユニットと同一又は類似していてもよく、及び照明ユニットの１つ又は複数は、従って、１つ又は複数のＬＥＤを含む１つ又は複数のＬＥＤベース光源１０２を含んでもよい。
【００７９】
[0085]  照明器具２００の一部の実施形態では、壁５１０上に均一なウォールウォッシング効果を作り出す為に、照明器具２００内の光源の向き及び強度は共に制御及び変更され得る。例えば、壁５１０の上側部分５６０は、照明ユニット１００Ａ等の壁５１０に近接した照明ユニット１００から発せられた光（数字５３０で示される）によって照明が行われるが、壁５１０の下側部分５８０は、照明ユニット１００Ｈ等の、壁５１０に近接していない照明ユニットから発せられた光によって照明が行われる。壁５１０の中央又は中間部分５７０は、照明ユニット１００Ｄ等の、中央に配置された照明ユニットから発せられた光によって照明が行われる。或いは、照明ユニット１００Ａ、１００Ｄ、及び１００Ｈは、互いに隣接して配置されるが、単に垂直面の異なる部分に方向付けられてもよい。一部の実施形態では、照明器具２００の照明ユニット１００の１つ又は複数によって発せられる光の角度は調節されることができる。例えば、照明器具２００において発せられる光の角度を調節する方法の中でも、照明ユニットが可動でもよく、又は照明器具が可動光源１０２を含んでもよい。発せられる光の角度は、上記のように、ユーザ入力又はセンサデータに基づいて手動又は自動で調節することができる。
【００８０】
[0086]  照明器具２００の一部の実施形態では、壁に近い照明ユニットによって発せられる低強度光ビームは、第１の角度で発せられ、壁から遠く離れた照明ユニットによって発せられる高強度光ビームは、第３の角度で発せられ、及び近い照明ユニットと遠い照明ユニットとの間に配置された照明ユニットによって発せられる中間強度光ビームは、第２の角度で発せられる。望ましいウォールウォッシング効果を提供する為には、第１の角度は、第２の角度よりも小さく、及び第２の角度は、第３の角度よりも小さい（図５に示される通り）。第１の角度は、近接した照明ユニットと壁との間の距離の関数であり、第２の角度は、壁から中間照明ユニットまでの距離の関数であり、及び第３の角度は、壁から第３の照明ユニットへの距離の関数である（図５に示される通り）。
【００８１】
[0087]  照明器具２００内の照明ユニット１００の１つ又は複数から発せられる１つ又は複数の光ビームの強度又は向きは、より詳細に上記に記載される通り、個々に又は単一のネットワークとして調節可能である。一部の実施形態では、壁５１０に接近して配置された照明ユニット１００Ａから発せられる光は、この照明ユニット内の光源１０２が壁５１０の近くに配置される為、低強度を有する。壁５１０からより遠くに離れて配置される照明ユニット１００Ｈから発せられる光は、この照明ユニット内の光源１０２が壁５１０からより遠くに離れて配置される為、より高い強度を有する。照明ユニット１００Ｄから発せられる光は、照明ユニット１００Ｄ内の光源１０２が照明ユニット１００Ａ及び１００Ｈによって発せられる光の中心にある為、照明ユニット１００Ａによって発せられる光の強度と照明ユニット１００Ｈによって発せられる光の強度との間となり得る。一部の実施形態では、照明器具２００内の他の照明ユニット１００は、ダウンライト効果を作り出す為に実質的に下方に向けられる。
【００８２】
[0088]  一部の実施形態では、照明器具２００の１つ若しくは複数の照明ユニット１００、及び／又は各照明ユニット内の１つ若しくは複数の光源１０２は、より詳細に上記に記載される通り、一緒に又は個々に制御されて、所望のウォールウォッシング又はダウンライト効果を作り出すことができる。例えば、この制御は、手動又は自動で行うことができる。本明細書に記載されるように、手動制御は、照明器具２００内に配置されるスイッチ／制御入力装置を用いてユーザによってもたらされてもよい。例えば、天井タイルの裏面は、単純なディップスイッチ、電子スイッチボタン、又はタッチ入力装置を含むように構成されてもよい。ディップスイッチ及び電子スイッチボタンは、ＯＮ／ＯＦＦ機能を提供することができる。しかしながら、電子スイッチボタン及びタッチ入力装置は、特定の照明器具２００、照明ユニット１００及び／又は光源１０２によって提供される光の強度をユーザが調節できるようにも構成することができる。加えて、天井タイルのいずれの面がウォールウォッシング機能を装備しているかを示す為に、タイル上に印が設けられてもよい。或いは、ユーザインタラクション手段（例えば、スマートフォン、タブレット、又は他のポータブルコンピューティングデバイス）を備えた、ユーザにより操作されるコミッショニングデバイスが、タイルのコミッショニングを行う為、及び様々なタイルの選択されたウォールウォッシング面を起動させる為に使用されてもよい。例えば、本発明の一実施形態では、ＮＦＣ（近距離無線通信）が、スマートフォンと、特定のアドレス可能天井タイル、照明器具２００、照明ユニット１００及び／又は光源１０２との間の通信チャネルを確立する為に用いられる。
【００８３】
[0089]  図６は、一実施形態による、位置と、照明器具２００からの放射強度及び分布との間の関係を示す。円グラフ６００は、壁５１０及び床６１０と共に、設置された照明器具２００の可能な照明効果を示す。一部の実施形態では、照明器具２００の複数の光源の少なくとも幾つかは、図６中のローブ６３０によって示されるダウンライト効果を作り出す為に、約２７０°で床６１０に向けて下方に向けられる。照明器具２００の残りの光源の少なくとも幾つかは、図６中のローブ６２０によって示されるウォールウォッシング効果を作り出す為に、約１８０°〜２７０°で壁５１０に向けられる。
【００８４】
[0090]  一部の実施形態では、照明器具２００から発せられる光の強度は、本明細書においてより詳細に記載されるように、所望のウォールウォッシング効果を作り出す為に可変である。図６の円グラフ６００は、照明器具２００から発せられる光の強度も表す。例えば、約２７０°で床６１０に向けて下方に向けられた照明器具２００の光源は、図６中のローブ６３０によって示されるように、明るいダウンライト効果を作り出す為に、高強度の光を発するように指示又は制御される。例えば、約１８０°〜２７０°で壁５１０に向けられる照明器具２００の光源は、図６中のローブ６２０によって示されるように、より落ち着いたウォールウォッシング効果を作り出す為に、より低い強度の光を発するように指示又は制御される。
【００８５】
[0091]  一部の実施形態では、図６の照明器具２００が例えば部屋の角に配置された場合、照明器具２００の光源の幾つかは、壁５１０に隣接する第２の壁（不図示）に向けられる場合があり、これは、同様に第２の壁上にウォールウォッシング効果を作り出す為に約０°〜２７０°で発せられる光の第３のローブ（不図示）を生成する。
【００８６】
[0092]  図７は、一実施形態による、ユーザ入力及び／又はセンサデータに基づいて所望のウォールウォッシング効果を生じさせる方法例のフローチャートを示す。他の実装形態は、これらのステップを異なる順序で行ってもよく、特定のステップを削除してもよく、並びに／又は図７に示されたものとは異なる及び／若しくは追加のステップを行ってもよい。便宜上、図７の態様は、この方法を行うことができる照明システムの１つ又は複数の構成要素に関連して説明される。構成要素は、例えば、図１の照明ユニット１００、図２及び３の照明器具２００、並びに／又は図４及び５の照明器具及びシステムの構成要素の１つ又は複数を含んでもよい。照明ユニット１００は、例えば、光源１０２、コントローラ１０８、及び／又は照明ユニット１００の類似の構成要素を含んでもよい。従って、便宜上、図１〜図５の態様は図７と併せて説明される。
【００８７】
[0093]  ステップ７００では、１つ又は複数の照明ユニット１００（これらは更には１つ又は複数の光源１０２を含む）を含む照明器具２００が設けられる。照明器具２００は、本明細書に記載される又は想定される実施形態の何れでもよい。幾つかの実施形態では、照明器具２００は、天井に設置された天井タイルに組み込まれる。例えば、照明器具２００は、コンフィギュアビリティを可能にするように、壁に隣接して天井に設置された天井タイルに組み込まれてもよい。図７の照明器具２００の実施形態は、例えば図１に関連して記載された照明ユニットと同一又は類似していてもよい１つ又は複数の照明ユニット１００を含んでもよく、及び１つ又は複数の照明ユニット１００の光源１０２の１つ又は複数は、従って、１つ又は複数のＬＥＤを含むＬＥＤベース光源でもよい。
【００８８】
[0094]  ステップ７１０では、照明器具２００は、照明器具の近くの壁の存在及び／又はポジショニングを示す情報を受信する。一部の実施形態では、センサは、壁の存在又は欠如を照明システムに知らせる為に、設置された照明器具２００の位置のアンビエント光レベルを決定する。例えば、照明器具２００は、ある近さ及び方向の範囲内の壁を検出する為の１つ又は複数のセンサを含んでもよい。従って、センサは、光学センサ及びアンビエント光センサを含む様々な異なる種類のセンサでもよい。照明器具２００は、好ましくは、ローカル接続によりセンサに連結され、及びセンサからセンサ値を受信する。一部の実施形態では、センサは、照明器具２００上に取り付けられてもよく、又は照明器具２００に組み込まれてもよい。一部の実施形態では、センサと照明器具２００との間の接続は、有線接続である。一部の実施形態では、センサと照明器具２００との間の接続は、無線接続である。一部の実施形態では、センサは、照明器具２００によって照明が行われるエリアに関連したセンサ値を提供するように位置付けられる。
【００８９】
[0095]  一部の実施形態では、照明器具２００は、例えば壁の存在及び任意選択的に壁までの距離を検出する距離センサ（例えば、超音波ベースセンサ）を用いて、様々な面又は角度における壁の存在を検出するように構成される。検出値から、照明器具２００の中央コントローラ２０８は、照明器具のいずれの１つ又は複数の側に壁が位置するかを判断する。第２の一連の測定は、壁の高さ（これは次に、対応する光源１０２の起動及び必要とされる明るさを決定する為に使用される）を検出する為に行われてもよい。照明器具２００の中央コントローラ２０８は、次に、デフォルトビームパターンを生成する。このデフォルトパターンは、手動又は自動で調節することができる。一部の実施形態では、壁の反射率の差は、光源によって照明が行われた際の、結果的に生じる壁の輝度の決定を容易にすることができる。例えば、これらの差は、壁の方向の光源によって発せられる放射の強度及び／又は角度の調整を必要とし得る。光源によって発せられる放射の強度及び／又は角度を制御する為の選択肢は、ユーザによる調整、光源によって生成される光出力分布の制御、及び／又は壁から反射された測定光を、目標セットポイント値を達成するように照明器具２００を規制する中央コントローラ２０８へと送信する無線センサの使用を含む。一部の実施形態では、センサは、座った時に個人の目の高さで壁から反射された光を測定するように位置付けられる。
【００９０】
[0096]  一部の実施形態では、設置された照明器具２００は、オン／オフ、色、強度、角度、照明ユニットに固有の識別子を設定すること、及び多くの他の特性を含む様々な照明特性をユーザが制御することを可能にし、且つ壁の存在又は欠如を照明器具２００にユーザが知らせることを可能にする１つ又は複数のユーザインタフェースを含む。ユーザインタフェースと照明ユニットとの間の通信は、有線又は無線伝送によって達成することができる。手動制御は、照明ユニット自体に配置されたスイッチ／制御入力装置を用いてユーザによってもたらされてもよい。或いは、ユーザインタラクション手段（例えば、スマートフォン、タブレット、又は他のポータブル若しくはリモートコンピューティングデバイス）を備えた、ユーザにより操作されるコミッショニングデバイスが、照明ユニットのコミッショニングを行う為に使用されてもよい。
【００９１】
[0097]  ステップ７２０では、照明器具２００の複数の照明ユニット１００の１つ又は複数の強度は、照明器具の近くの壁の存在に関する受信情報に基づいて調節される。例えば、照明器具２００内の照明ユニット１００の１つ又は複数から発せられる光の強度は、より詳細に上記に記載される通り、個々に又は単一のネットワークとして調節可能である。一部の実施形態では、壁に接近した範囲内に配置された１つ又は複数の照明ユニットから発せられる光は、これらの照明ユニット内の光源１０２が壁の近くに配置される為、低強度を有するように調節される。壁から遠くに離れて配置される照明ユニットの１つ又は複数から発せられる光は、これらの照明ユニット内の光源１０２が壁から遠くに離れて配置される為、より高い強度を有する。一部の実施形態では、照明器具２００、照明器具２００内の１つ若しくは複数の照明ユニット１００、及び／又は１つ若しくは複数の照明ユニット内の１つ若しくは複数の光源１０２は、より詳細に上記に記載される通り、所望のウォールウォッシング又はダウンライト効果を作り出す為に、共に又は個々に制御することができる。
【００９２】
[0098]  ステップ７３０では、複数の照明ユニットの１つ又は複数の照明の角度は、照明器具の近くの壁の存在又は位置に基づいて調節される。照明器具２００の一部の実施形態では、近くの壁に均一なウォールウォッシング効果を作り出す為に、照明器具２００内の光源の向きは制御及び変更され得る。例えば、近くの壁の上側部分は、壁に近接した照明ユニット１００から発せられた光によって照明が行われるが、壁の下側部分は、壁に近接していない照明ユニットから発せられた光によって照明が行われる。壁の中央部分は、中央に配置された照明ユニットから発せられた光によって照明が行われる。或いは、一部の実施形態では、照明器具２００の照明ユニットの１つ又は複数によって発せられる光の角度は調節されることができる。例えば、照明器具２００において発せられる光の角度を調節する方法の中でも、照明ユニット自体が可動でもよく、照明器具が可動照明ユニット１００を含んでもよく、又は照明器具が可動光源１０２を含んでもよい。発せられる光の角度は、上記のように、ユーザ入力又はセンサデータに基づいて手動又は自動で調節することができる。
【００９３】
[0099]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００９４】
[0100]  本明細書にて定義されかつ用いられた定義はすべて、辞書の定義、参照することにより組み込まれた文献における定義、及び／又は、定義された用語の通常の意味に優先されて理解されるべきである。
【００９５】
[0101]  本明細書及び特許請求の範囲にて使用される「ａ」及び「ａｎ」の不定冠詞は、特に明記されない限り、「少なくとも１つ」を意味するものと理解されるべきである。
【００９６】
[0102]  本明細書及び特許請求の範囲にて使用される「及び／又は」との表現は、等位結合された要素の「いずれか又は両方」を意味すると理解すべきである。すなわち、要素は、ある場合は接続的に存在し、その他の場合は離接的に存在する。「及び／又は」を用いて列挙される複数の要素も同様に解釈されるべきであり、すなわち、要素のうちの「１つ以上」が等位結合される。「及び／又は」節によって具体的に特定された要素以外の他の要素も、それが具体的に特定された要素に関連していても関連していなくても、任意選択的に存在してよい。したがって、非限定的な例として、「Ａ及び／又はＢ」との参照は、「含む」といった非制限的言語と共に用いられた場合、一実施形態では、Ａのみ（任意選択的にＢ以外の要素を含む）を指し、別の実施形態では、Ｂのみ（任意選択的にＡ以外の要素を含む）を指し、さらに別の実施形態では、Ａ及びＢの両方（任意選択的にその他の要素を含む）を指す。
【００９７】
[0103]  本明細書及び特許請求の範囲に用いられるように、「又は」は、上に定義したような「及び／又は」と同じ意味を有すると理解すべきである。例えば、リストにおけるアイテムを分ける場合、「又は」、又は、「及び／又は」は包括的と解釈される。すなわち、多数の要素又は要素のリストのうちの少なくとも１つを含むが、２つ以上の要素も含み、また、任意選択的に、リストにないアイテムを含むと解釈される。「〜のうちの１つのみ」又は「ちょうど１つの」といった反対を明らかに示す用語、又は、特許請求の範囲に用いられる場合は、「〜からなる」という用語だけが、多数の要素又は要素のリストのうちのまさに１つの要素が含まれることを指す。一般的に、本明細書にて使用される「又は」との用語は、「いずれか」、「〜のうちの１つの」、「〜のうちの１つのみ」、又は「〜のうちのちょうど１つのみ」といった排他的な用語が先行する場合にのみ、排他的な代替（すなわち「一方又は他方であるが、両方ではない」）を示すと解釈される。「本質的に〜からなる」は、特許請求の範囲に用いられる場合、特許法の分野にて用いられる通常の意味を有する。
【００９８】
[0104]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。したがって、非限定的な例として、「Ａ及びＢの少なくとも１つ」（又は、同等に「Ａ又はＢの少なくとも１つ」、又は、同等に「Ａ及び／又はＢの少なくとも１つ」）は、一実施形態では、少なくとも１つのＡ（任意選択的に２つ以上のＡを含む）であって、Ｂがない（任意選択的にＢ以外の要素を含む）ことを指し、別の実施形態では、少なくとも１つのＢ（任意選択的に２つ以上のＢを含む）であって、Ａがない（任意選択的にＡ以外の要素を含む）ことを指し、さらに別の実施形態では、少なくとも１つのＡ（任意選択的に２つ以上のＡを含む）と、少なくとも１つのＢ（任意選択的に２つ以上のＢを含む）を指す（任意選択的に他の要素を含む）。
【００９９】
[0105]  さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【０１００】
[0106]  請求項において、括弧内に登場する任意の参照符号は、便宜上、提供されているに過ぎず、当該請求項をいかようにも限定することを意図していない。
【０１０１】
[0107]  特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図１】
0006605487.tif 000002
【図２】
0006605487.tif 000003
【図３】
0006605487.tif 000004
【図４】
0006605487.tif 000005
【図５】
0006605487.tif 000006
【図６】
0006605487.tif 000007
【図７】
0006605487.tif 000008